(57)【要約】【課題】一回の操作で容易に広げて、かつ折畳むことが可能な折畳みシートを提供する。【解決手段】左側トランク部及び右側トランク部の少なくとも２枚のトランク部と、少なくとも２枚のリーフ部とを有し、左側トランク部と右側トランク部とを折り線（１３）を介して連結し、トランク部とリーフ部とを折り線（１４）を介して連結し、隣り合う２枚の前記リーフ部が１つの対をなすように折り線（１５）を介して連結して１枚のシートを構成し、また、山折り線の折り線（１３）と連結する折り線（１４）は、山折り線であり、谷折り線の折り線（１３）と連結する折り線（１４）は、谷折り線であり、折り線（１５）は、山折りの折り線（１３）の延長線上にある場合は谷折り線であり、谷折りの折り線（１３）の延長線上にある場合は山折り線であり、さらにまた折畳み状態で、リーフ部（１２）をトランク部（１１）の間に挟む。【選択図】図３
2007190752.tif 000002
【特許請求の範囲】
【請求項１】
折畳みの状態であるかまたは広げた状態であるかを問わず、その中に折り線を有し、さらに折り線は消えることなく容易に広げられ再び折畳みが可能な折り線を有する折畳みシートであって、
左側トランク部（１１ｌ）及び右側トランク部（１１ｒ）の少なくとも２枚のトランク部（１１）と、少なくとも２枚のリーフ部（１２）とを有し、
前記トランク部（１１）は、少なくとも３辺を有する多角形で、前記３辺うちの少なくとも２辺が直線であり、該２辺のうちの一辺は折り線（１３）であり、他方は折り線（１４）であり、
前記左側トランク部（１１ｌ）と前記右側トランク部（１１ｒ）とが前記折り線（１３）を介して連結され、
前記トランク部（１１）と前記リーフ部（１２）とが前記折り線（１４）を介して連結され、
隣り合う２枚の前記リーフ部（１２）が１つの対をなすように折り線（１５）を介して連結されて１枚のシートを構成し、
また、山折り線の前記折り線（１３）と連結する前記折り線（１４）は、山折り線であり、谷折り線の前記折り線（１３）と連結する前記折り線（１４）は、谷折り線であり、
前記折り線（１５）は、前記山折りの折り線（１３）の延長線上にある場合は谷折り線であり、前記谷折りの折り線（１３）の延長線上にある場合は山折り線であり、
また、折畳み状態では、前記リーフ部（１２）が、前記トランク部（１１）の間に挟まれていることを特徴とする折畳みシート。
【請求項２】
ｋ枚（ｋは１以上）の中央トランク部（１１ｃ）と、２〜４（ｋ＋１）枚の偶数枚の前記リーフ部（１２）とを有し、
前記中央トランク部（１１ｃ）は前記左側トランク部（１１ｌ）と前記右側トランク部（１１ｒ）との間に配設され、
前記中央トランク部（１１ｃ）は、前記折り線（１３）を介して、前記中央トランク部（１１ｃ）と隣接して配設される他の中央トランク部（１１ｃ）の一辺、あるいは、前記左側トランク部（１１ｌ）又は前記右側トランク部（１１ｒ）の一辺と連結され、
前記折り線（１３）は、前記左側トランク部（１１ｌ）の側から順に、山折り線と谷折り線とが交互になるように形成されていることを特徴とする請求項１に記載の折畳みシート。
【請求項３】
前記各折り線（１３）が平行であることを特徴とする請求項１又は請求項２に記載の折畳みシート。
【発明の詳細な説明】
【技術分野】
【０００１】
本発明は、手軽な操作で開閉可能な折畳みシートに関する。また、折畳みシートは、その内面や外面に文字や図形等の情報を記載して、パンフレットや地図として使用することができる。
【背景技術】
【０００２】
折畳みシートとは、山折り、谷折りの折り目をシート上に形成して、通常、携帯可能な所定の大きさに折畳み得るように折り目が付されており、折り目に沿ってその展開及び折畳みを容易になし得るように構成されたものであり、例えば特許文献１に示されるように、従来より種々のものが提案されている。
【０００３】
このような折り目は、一方向に蛇腹をなして折畳み得るように山折り線と谷折り線とが交互に平行に設けられ、また蛇腹をなして一方向に折畳まれたシートを、更にその折畳み方向と直行する方向に蛇腹をなして折畳み得るように設けられる。
【０００４】
しかし、このようなシートは、実際に開閉しようとすると、一回の操作で開閉することは難しく、また無理に一回の操作で開閉しようとすると、シートを破損してしまうこともあるという問題があった。
【０００５】
なお、折り目に沿ってその展開及び折畳みを一回の操作で容易になし得るように構成された他の例として、立体絵本や冊子体等があり、従来より種々のものが提案されている。
【０００６】
例えば特許文献２に示される冊子体は、折り線部を介して見開き頁片と見開き頁片とを連設して見開き頁を構成し、またこの見開き頁には、その一部が分離可能となるように切込が入れられている。このような冊子体は、見開き頁を略９０度の角度に開くことにより、分離された見開き頁の一部が立体部を形成する構成になっている。
【０００７】
このような立体部を形成する冊子体の構成を、折畳みシートに適用しようとすると、特に折畳みシートを販促用の広告等として用いる場合、地図や絵、文字等の情報が印刷された領域である印刷領域に切込が入ってしまい、見栄えが低下し、販促効果が低減してしまう。従って、立体部を形成する冊子体の構成を、折畳みシートに適用することはできなかった。
【特許文献１】特許第２１３９９５５号
【特許文献２】特開平１０−１６５６６３号公報
【発明の開示】
【発明が解決しようとする課題】
【０００８】
本発明は、上述したような実情に鑑みてなされたもので、その目的とするところは、一回の操作で容易に広げることができ、かつ、一回の操作で容易に折畳むことが可能で見栄えの良い折畳みシートを提供することにある。
【課題を解決するための手段】
【０００９】
本発明の上記目的は、折畳みの状態であるかまたは広げた状態であるかを問わず、その中に折り線を有し、さらに折り線は消えることなく容易に広げられ再び折畳みが可能な折り線を有する折畳みシートであって、
左側トランク部（１１ｌ）及び右側トランク部（１１ｒ）の少なくとも２枚のトランク部（１１）と、少なくとも２枚のリーフ部（１２）とを有し、
前記トランク部（１１）は、少なくとも３辺を有する多角形で、前記３辺うちの少なくとも２辺が直線であり、該２辺のうちの一辺は折り線（１３）であり、他方は折り線（１４）であり、
前記左側トランク部（１１ｌ）と前記右側トランク部（１１ｒ）とが前記折り線（１３）を介して連結され、
前記トランク部（１１）と前記リーフ部（１２）とが前記折り線（１４）を介して連結され、
隣り合う２枚の前記リーフ部（１２）が１つの対をなすように折り線（１５）を介して連結されて１枚のシートを構成し、
また、山折り線の前記折り線（１３）と連結する前記折り線（１４）は、山折り線であり、谷折り線の前記折り線（１３）と連結する前記折り線（１４）は、谷折り線であり、
前記折り線（１５）は、前記山折りの折り線（１３）の延長線上にある場合は谷折り線であり、前記谷折りの折り線（１３）の延長線上にある場合は山折り線であり、
また、折畳み状態では、前記リーフ部（１２）が、前記トランク部（１１）の間に挟まれていることを特徴とする折畳みシートを提供することによって達成される。
【００１０】
また、本発明の上記目的は、ｋ枚（ｋは１以上）の中央トランク部（１１ｃ）と、２〜４（ｋ＋１）枚の偶数枚の前記リーフ部（１２）とを有し、
前記中央トランク部（１１ｃ）は前記左側トランク部（１１ｌ）と前記右側トランク部（１１ｒ）との間に配設され、
前記中央トランク部（１１ｃ）は、前記折り線（１３）を介して、前記中央トランク部（１１ｃ）と隣接して配設される他の中央トランク部（１１ｃ）の一辺、あるいは、前記左側トランク部（１１ｌ）又は前記右側トランク部（１１ｒ）の一辺と連結され、
前記折り線（１３）は、前記左側トランク部（１１ｌ）の側から順に、山折り線と谷折り線とが交互になるように形成されていることを特徴とする折畳みシートを提供することによって、効果的に達成される。
【００１１】
さらにまた、本発明の上記目的は、前記各折り線（１３）が平行であることを特徴とする折畳みシートを提供することによって、より効果的に達成される。
【発明の効果】
【００１２】
本発明に係る折畳みシートによれば、左側トランク部（１１ｌ）及び右側トランク部（１１ｒ）の少なくとも２枚のトランク部（１１）と、少なくとも２枚のリーフ部（１２）とを有し、トランク部（１１）は、少なくとも３辺を有する多角形で、この３辺うちの少なくとも２辺が直線であり、この２辺のうちの一辺は折り線（１３）であり、他方の一辺は折り線（１４）であり、左側トランク部（１１ｌ）と右側トランク部（１１ｒ）とを折り線（１３）を介して連結し、トランク部（１１）とリーフ部（１２）とを折り線（１４）を介して連結し、隣り合う２枚の前記リーフ部（１２）が１つの対をなすように折り線（１５）を介して連結して１枚のシートを構成し、また、山折り線の折り線（１３）と連結する折り線（１４）は、山折り線であり、谷折り線の折り線（１３）と連結する折り線（１４）は、谷折り線であり、折り線（１５）は、山折りの折り線（１３）の延長線上にある場合は谷折り線であり、谷折りの折り線（１３）の延長線上にある場合は山折り線であり、さらにまた、折畳み状態で、リーフ部（１２）をトランク部（１１）の間に挟んだので、一回の操作で容易に展開／折畳むことができる。
【００１３】
また、ｋ枚（ｋは１以上）の中央トランク部（１１ｃ）と、２〜４（ｋ＋１）枚の偶数枚のリーフ部（１２）とを有し、この中央トランク部（１１ｃ）を左側トランク部（１１ｌ）と右側トランク部（１１ｒ）との間に配設し、また中央トランク部（１１ｃ）を、折り線（１３）を介して、中央トランク部（１１ｃ）と隣接して配設される他の中央トランク部（１１ｃ）の一辺、あるいは、左側トランク部（１１ｌ）又は右側トランク部（１１ｒ）の一辺と連結し、さらにまた、この折り線（１３）を、左側トランク部（１１ｌ）の側から順に、山折り線と谷折り線とが交互になるように形成することによって、より容易に一回の操作で展開／折畳むことができるようになる。
【００１４】
さらにまた記各折り線（１３）を平行とすることにより、より容易に展開／折畳むことができ、また折畳んだ際の見栄えを良好なものとすることができる。
【発明を実施するための最良の形態】
【００１５】
以下、本発明に係る折畳みシートについて、図面を参照しながら詳細に説明する。なお、本発明は必ずしも以下の実施形態に限定されるものではなく、特許請求の範囲を逸脱しない範囲内において、その構成を適宜変更できることはいうまでもない。
【００１６】
図１は、本発明に係る折畳みシート（以下、「本折畳みシート」と言う。）の展開図であり、図２は、図１に示す折畳みシートの折畳み後の状態を示す上面図である。
【００１７】
図１に示すように、本折畳みシート１０は、トランク（ｔｒｕｎｋ）部１１とリーフ部１２とにより構成されており、さらにまた、トランク部１１は、左側トランク部１１ｌと右側トランク部１１ｒとから成っている。そして、これらのトランク部１１及びリーフ部１２が、折り線１３，１４，１５を介して連結されて１枚のシートを構成する。
【００１８】
本折畳みシート１０のトランク部１１は、図１に示すように台形である。この台形は、台形を構成する全ての辺が直線で形成されている。
【００１９】
このように、本折畳みシート１０では、トランク部１１を形成する４辺の全てを直線としたが、トランク部１１を構成する辺のうち折り線１３及び折り線１４となる２辺以外の２辺は、曲線や波線等であっても良い。これにより、本折畳みシート１０を折畳んだ際の形状がバラエティに富むものとなり、また見栄えが良好となる。さらにまた、トランク部１１は、台形のような４辺を有する多角形に限らず、少なくとも３辺から成る三角形、あるいは五角形以上の多角形であっても良い。
【００２０】
本折畳みシート１０は、左側トランク部１１ｌと右側トランク部１１ｒとが、折り線１３を介して連結されている。折り線１３は山折り線である。なお、図中では、山折り線を点線で、谷折り線を一点鎖線で示す（以下、同じ。）。
【００２１】
また、本折畳みシート１０は、２枚のリーフ部１２が折り線１４を介してトランク部１１にそれぞれ連結されている。すなわち、リーフ部１２ａが、折り線１４ａを介して左側トランク部１１ｌに連結され、またリーフ部１２ｂが、折り線１４ｂを介して右側トランク部１１ｒに連結されている。なお、折り線１４ａ及び１４ｂは山折り線である。
【００２２】
なお、本折畳みシート１０のトランク部１１及びリーフ部１２は左右対称の形状を有するが、トランク部１１及び／又はリーフ部１２はそれぞれ左右非対称の形状を有するものであっても良い。
【００２３】
本折畳みシート１０のリーフ部１２は２枚で１つの対をなすように、折り線１５を介して連結されている。ここで、折り線１５は、折り線１３の延長線上に位置する。また、本折畳みシート１０のように、折り線１３が山折り線である場合、折り線１５は谷折り線となる。なお、リーフ部１２は２枚でなくても良く、４枚であっても良い。この場合においては、辺１４Ａ及び１４Ｂが折り線１４Ａ及び１４Ｂとなり、折り線１４Ａ及び１４Ｂのそれぞれと折り線１３とのなす角が鈍角となるように、すなわち折り線１４Ａ，１４Ｂが折り線１３に対して斜めに形成されている必要がある。
【００２４】
なお、上述した本折畳みシート１０は、山折りの折り線を谷折り線とし、谷折りの折り線を山折り線としても良い。すなわち折り線１３、及び折り線１４を谷折り線とし、折り線１５を山折り線としても良い。
【００２５】
また、折り線１３，１４，１５をミシン目として、トランク部１１やリーフ部１２を切り離し可能にしても良い。
【００２６】
このように構成された本折畳みシート１０は、折り線１３，１４，１５に沿って折畳まれ、折畳まれた後は、図２に示すような形状に閉じられる。すなわち、折畳まれた後の折畳み状態では、リーフ部１２がトランク部１１の間に挟まれるように、具体的には、左側トランク部１１ｌと右側トランク部１１ｒの内側にリーフ部１２ａ及び１２ｂが収納されるように折畳まれる。
【００２７】
以上、本折畳みシート１０について詳細に説明したが、本発明は、その構成を次のように変更することができる。
【００２８】
図３は、本発明の第２実施形態に係る折畳みシート１０′（以下、「本折畳みシート１０′」と言う。）の展開図であり、図４は、図３に示す折畳みシート１０′の開閉途中を示す斜視図であり、図５は、図３に示す折畳みシート１０′の折畳み後の状態を示す上面図である。
【００２９】
本折畳みシート１０′は、図３に示すように、左側トランク部１１ｌと右側トランク部１１ｒとの間に、ｋ枚（本実施形態ではｋ＝１）の中央トランク部１１ｃを配設し、リーフ部を４（ｋ＋１）枚配設したことを除くその他の点は、上述した折畳みシート１０と実質的に同一である。従って、以下では折畳みシート１０と対応する構成要素には、同一の符号を付し、その説明を省略する。
【００３０】
すなわち、図３に示すように、本折畳みシート１０′は、左側トランク部１１ｌ、右側トランク部１１ｒ、及び中央トランク部１１ｃから成るトランク部１１と、４（ｋ＋１）枚（本実施形態では８枚）のリーフ部１２とにより構成されており、これらのトランク部１１及びリーフ部１２が、折り線１３，１４，１５を介して連結されて１枚のシートを構成する。
【００３１】
本折畳みシート１０′の中央トランク部１１ｃは、図３に示すように、六角形である。この六角形は、対向する二辺が平行になるように、すなわち折り線１３ａと折り線１３ｂとが平行、折り線１４ｃと折り線１４ｆとが平行、折り線１４ｄと折り線１４ｅとが平行になるように構成されている。
【００３２】
図示するように、本折畳みシート１０′では、対向する二辺の全ての組が平行になるように構成したが、対向する二辺の全ての組が平行でない六角形である中央トランク部１１ｃであっても良い。しかしながら、図６に他の折畳みシート１０′Ａの展開図で示すように、対向する二辺のうち少なくとも１つの組、すなわち少なくとも左側トランク部１１ｌと連結される折り線１３ａ、及び右側トランク部１１ｒと連結される折り線１３ｂが平行であることが好ましく、これにより、本折畳みシート１０′を折畳んだ際の見栄えが良好となる。
【００３３】
本折畳みシート１０′は、中央トランク部１１ｃが、折り線１３ａを介して左側トランク部１１ｌに連結され、また折り線１３ｂを介して右側トランク部１１ｒに連結されている。
【００３４】
また、本折畳みシート１０′においても、左側トランク部１１ｌ及び右側トランク部１１ｒの形状は、特に図３に示すような形状に限定されるものではなく、用途やニーズに応じてハート形状等、公知の形状に適宜変更することができる。また、折り線１３ａは山折り線、折り線１３ｂは谷折り線である。
【００３５】
また、本折畳みシート１０′は、８枚のリーフ部１２が、トランク部１１の折り線１４ａ〜１４ｈを介してそれぞれ連結されている。すなわち、折り線１４ａを介してリーフ部１２ａが、折り線１４ｂを介してリーフ部１２ｂが左側トランク部１１ｌに連結され、また、折り線１４ｃを介してリーフ部１２ｃが、折り線１４ｄを介してリーフ部１２ｄが、折り線１４ｅを介してリーフ部１２ｅが、折り線１４ｆを介してリーフ部１２ｆが中央トランク部１１ｃに連結され、さらにまた、折り線１４ｇを介してリーフ部１２ｇが、折り線１４ｈを介してリーフ部１２ｈが右側トランク部１１ｒに連結されている。
【００３６】
折り線１４ａ〜１４ｄは山折り線であり、折り線１４ｅ〜１４ｈは谷折り線である。すなわち、山折りの折り線１３ａの両端と連結する折り線１４ａ〜１４ｄは山折り線であり、谷折りの折り線１３ｂの両端と連結する折り線１４ｅ〜１４ｈは谷折り線である。
【００３７】
また、本折畳みシート１０′は、図３に示すように、リーフ部１２ｃ〜１２ｆを同じ形状、リーフ部１２ａ，１２ｂ，１２ｇ，１２ｈを同じ形状に形成しているが、この他、図６に折畳みシート１０′Ａの展開図に、及び図７に他の折畳みシート１０′Ｂの展開図に示すように、リーフ部１２ａ〜１２ｈは、それぞれ異なる形状であっても良い。
【００３８】
本折畳みシート１０′のリーフ部１２は、左端（あるいは右端）から順に隣り合う２枚のリーフ部１２が１つの対をなすように、折り線１５を介して連結されている。すなわち、リーフ部１２ａ及び１２ｃが折り線１５ａを介して連結され、リーフ部１２ｂ及び１２ｄが折り線１５ｂを介して連結され、リーフ部１２ｅ及び１２ｇは折り線１５ｃを介して連結され、リーフ部１２ｆ及び１２ｈが折り線１５ｄを介して連結されている。なお、リーフ部１２ｃと１２ｅとは連結されておらず、また、リーフ部１２ｄと１２ｆとも連結されていない。
【００３９】
なお、本折畳みシート１０′のリーフ部１２の枚数は必ずしも４（ｋ＋１）枚である必要はなく、２〜４（ｋ＋１）枚の偶数枚であれば良い。すなわち、少なくとも１つの対をなすように、少なくとも２枚のリーフ部１２を有していれば良く、リーフ部１２が２枚であるとき、この２枚のリーフ部１２は折り線１５を介して連結されており、この折り線１５を介して連結されたリーフ部１２が折り線１４を介してトランク部１１に連結されていれば良い。また、この２枚のリーフ部１２は、図３に示す１２ａ及び１２ｃ、１２ｂ及び１２ｄ、１２ｅ及び１２ｇ、１２ｆ及び１２ｈのいずれであっても良い。
【００４０】
折り線１５は、折り線１３の延長線上に位置している。すなわち、折り線１５ａ及び１５ｂは折り線１３ａの延長線上に位置し、折り線１５ｃ及び１５ｄは折り線１３ｂの延長線上に位置する。
【００４１】
また、山折りの折り線１３ａの延長線上に位置する折り線１５ａ及び１５ｂは谷折り線、谷折りの折り線１３ｂの延長線上に位置する折り線１５ｃ及び１５ｃは山折り線である。
【００４２】
また、リーフ部１２の形状は、図３に示すような形状に限らず、この他、例えば図７に他の折畳みシート１０′Ｂの展開図で示すような形状とし、折畳みシート１０′Ｂの展開図で略ツリーの形状となるように形成しても良い。
【００４３】
なお、このような本折畳みシート１０′は、山折りの折り線を谷折り線とし、谷折りの折り線を山折りの折り線としても良い。すなわち、折り線１３ａ、折り線１４ａ〜１４ｄ、及び折り線１５ｃ，１５ｄは谷折り線とし、折り線１３ｂ、折り線１４ｅ〜１４ｈ、及び折り線１５ａ，１５ｂを山折り線にしても良い。
【００４４】
このように構成された本折畳みシート１０′は、図４に示すように、折り線１３，１４，１５に沿って折畳まれ、折畳まれた後は、図６に示すような形状に閉じられる。
【００４５】
本折畳みシート１０′は、図５に示すように、閉じられると掴み部１６が形成され、この掴み部１６を指でつまんで開閉することができる。これにより、本折畳みシート１０′を一回の操作で容易に展開したり、折畳んだりすることができる。しかしながら、左側トランク部１１ｌ及び右側トランク部１１ｒの形状が、この掴み部１６が形成されない形状であっても、本願の目的を達成し、またその効果を得ることができる。
【００４６】
また、本折畳みシート１０′においても、折り線１３，１４，１５をミシン目として、左側トランク部１１ｌ、右側トランク部１１ｒ、あるいは各リーフ部１２を切り離し可能に形成しても良い。
【００４７】
また、本発明に係る折畳みシートは、その構成を次のように変更することもできる。図８は、本発明の第３実施形態に係る折畳みシート１０′′（以下、「本折畳みシート１０′′」と言う。）の展開図である。
【００４８】
本折畳みシート１０′′は、中央トランク部１１ｃの形状を変更したことを除くその他の点は、上述した折畳みシート１０′と実質的に同一である。従って、以下では折畳みシート１０′と対応する構成要素には、同一の符号を付し、その説明を省略する。
【００４９】
すなわち、図８に示すように、本折畳みシート１０′′は、左側トランク部１１ｌ、右側トランク部１１ｒ、及び中央トランク部１１ｃから成るトランク部１１と、４（ｋ＋１）枚のリーフ部１２（本実施形態では８枚）とにより構成されており、これらのトランク部１１及びリーフ部１２が、折り線１３，１４，１５を介して連結されて１枚のシートを構成している。
【００５０】
本折畳みシート１０′′の中央トランク部１１ｃは、図８に示すように、折り線となる辺は直線で、折り線とならない辺は曲線で形成されている。すなわち、中央トランク部１１ｃは、折り線１３ａ及び１３ｂ、折り線１４ｃ〜１４ｆとなる辺を直線とし、そして、折り線とならない辺１７ａ及び１７ｂを曲線とした。
【００５１】
しかし、上述したように、折り線１３及び折り線１４となる辺以外の辺１７は、曲線に限らず、直線や波線等であっても良い。
【００５２】
また、図示するように、本折畳みシート１０′′では、対向する二辺の折り線１３ａ及び１３ｂ、折り線１４ｃ及び１４ｆ、折り線１４ｄ及び１４ｅの組がそれぞれ平行になるように構成したが、上述したように、少なくとも折り線１３が平行であれば、その他の折り線や辺は平行に構成されていなくても良い。
【００５３】
また、本折畳みシート１０′′は、上述した折畳みシート１０′と同様に、８枚のリーフ部１２が、トランク部１１の折り線１４ａ〜１４ｈを介してそれぞれ連結されている。
【００５４】
なお、本折畳みシート１０′′は、山折りの折り線を谷折り線とし、谷折りの折り線を山折りの折り線としても良い。すなわち、折り線１３ａ、折り線１４ａ〜１４ｄ及び折り線１５ｃ，１５ｄは山折り線とし、折り線１３ｂ、折り線１４ｅ〜１４ｈ、及び折り線１５ａ，１５ｂを谷折り線にしても良い。
【００５５】
このように構成された本折畳みシート１０′′は、折り線１３，１４，１５に沿って折畳まれ、閉じられると図９に示すような形状になる。
【００５６】
本折畳みシート１０′′も、図９に示すように、閉じられると掴み部１６が形成され、この掴み部１６を指でつまんで開いたり閉じたりすることができるため、一回の操作で容易に展開したり、折畳んだりすることができる。
【００５７】
さらにまた、本発明に係る折畳みシートは、その構成を次のように変更することもできる。図１０は、本発明の第４実施形態に係る折畳みシート１０′′′（以下、「本折畳みシート１０′′′」と言う。）の展開図である。
【００５８】
本折畳みシート１０′′′は、図１０に示すように、左側トランク部１１ｌと右側トランク部１１ｒとの間に、ｋ枚（本実施形態ではｋ＝２）の中央トランク部１１ｃを配設し、リーフ部を４（ｋ＋１）枚配設したことを除くその他の点は、上述した折畳みシート１０，１０′，１０′′と実質的に同一である。従って、以下では、折畳みシート１０等と対応する構成要素には同一の符号を付し、その説明を省略する。
【００５９】
すなわち、図１０に示すように、本折畳みシート１０′′′は、左側トランク部１１ｌ、右側トランク部１１ｒ、及び２枚の中央トランク部１１ｃ１，１１ｃ２から成るトランク部１１と、４（ｋ＋１）枚（本実施形態では１２枚）のリーフ部１２とにより構成されており、これらのトランク部１１及びリーフ部１２が、折り線１３，１４，１５を介して連結されて１枚のシートを構成する。
【００６０】
本折畳みシート１０′′′は、折り線１３ｃを介して２枚の中央トランク部１１ｃ１及び１１ｃ２が連結されている。なお、本実施形態においては、中央トランク部１１ｃ１及び１１ｃ２共に六角形状であるが、トランク部１１ｃ１は六角形、トランク部１１ｃ２は八角形というように、異なる形状を有する中央トランク部１１ｃが連結されても良い。
【００６１】
また、本折畳みシート１０′′′は、左側トランク部１１ｌが折り線１３ａを介して中央トランク部１１ｃ１と連結され、また右側トランク部１１ｒが折り線１３ｂを介して中央トランク部１１ｃ２と連結されている。なお、本実施形態においては、折り線１３ａは山折り線、折り線１３ｂは谷折り線、折り線１３ｃは山折り線である。
【００６２】
また、本折畳みシート１０′′′は、１２枚のリーフ部１２ａ〜１２ｌが、トランク部１１の折り線１４ａ〜１４ｌを介してそれぞれ連結されている。すなわち、折り線１４ａを介してリーフ部１２ａが、折り線１４ｂを介してリーフ部１２ｂが左側トランク部１１ｌに連結され、また、折り線１４ｃを介してリーフ部１２ｃが、・・・、折り線１４ｆを介してリーフ部１２ｆが中央トランク部１１ｃ１に連結され、また、折り線１４ｉを介してリーフ部１２ｉが、折り線１４ｊを介してリーフ部１２ｊが、折り線１４ｋを介してリーフ部１２ｋが、折り線１４ｌを介してリーフ部１２ｌが、中央トランク部１１ｃ２に連結され、さらにまた、折り線１４ｇを介してリーフ部１２ｆが、折り線１４ｈを介してリーフ部１２ｈが、右側トランク部１１ｒに連結されている。
【００６３】
折り線１４ａ〜１４ｄ，１４ｇ，１４ｈ，１４ｋ，１４ｌは山折り線であり、折り線１４ｅ，１４ｆ，１４ｉ，１４ｊは谷折り線である。すなわち、山折りの折り線１３ａ及び１３ｂの両端と連結する折り線１４ａ〜１４ｄ，１４ｇ，１４ｈ，１４ｋ，１４ｌは山折り線であり、谷折りの折り線１３ｃの両端と連結する折り線１４ｅ，１４ｆ，１４ｉ，１４ｊは谷折り線である。
【００６４】
本折畳みシート１０′′′のリーフ部１２も、上述した本折畳みシート１０等と同様に、左端（あるいは右端）から順に隣り合う２枚のリーフ部１２が対をなすように、折り線１５を介して連結されている。すなわち、リーフ部１２ａ及び１２ｃが折り線１５ａを介して連結され、リーフ部１２ｂ及び１２ｄが折り線１５ｂを介して連結され、リーフ部１２ｇ及び１２ｋが折り線１５ｃを介して連結され、リーフ部１２ｈ及び１２ｌが折り線１５ｄを介して連結され、リーフ部１２ｅ及び１２ｉが折り線１５ｅを介して連結され、リーフ部１２ｆ及び１２ｊが折り線１５ｆを介して連結されている。なお、リーフ部１２ｃ及び１２ｅ、リーフ部１２ｄ及び１２ｆ、リーフ部１２ｉ及び１２ｋ、リーフ部１２ｊ及び１２ｌは連結されていない。
【００６５】
また、本折畳みシート１０′′′においても、折り線１５ａ〜１５ｆは、折り線１３ａ〜１３ｃの延長線上に位置する。すなわち、折り線１３ａの延長線上に折り線１５ａ及び１５ｂが位置し、折り線１３ｂの延長線上に折り線１５ｃ及び１５ｄが位置し、折り線１３の延長線上に折り線１５ｅ及び１５ｆが位置する。
【００６６】
さらにまた、山折りの折り線１３ａ及び１３ｂの延長線上に位置する折り線１４ａ〜１５ｄは谷折り線であり、谷折りの折り線１３ｃの延長線上に位置する折り線１５ｅ及び１５ｆは山折り線である。
【００６７】
なお、本折畳みシート１０′′′でも、山折りの折り線を谷折り線とし、谷折りの折り線を山折り線としても良い。
【００６８】
すなわち、折り線１３の左側トランク部１１ｌ（あるいは右側トランク部１１ｒ）から山折り線と谷折り線が交互になるようにすればよいので、折り線１３ａが谷折り線、折り線１３ｂが山折り線、折り線１３ｃが谷折り線としても良い。なお、これは、中央トランク部１１ｃの枚数が増えても同様である。具体的には、折り線１３ａ，１３ｂ，折り線１４ａ〜１４ｄ，１４ｇ，１４ｈ，１４ｋ，１４ｌ，及び折り線１５ｅ，１５ｆを谷折り線とし、折り線１３ｃ，折り線１４ｅ，１４ｆ，１４ｉ，１４ｊ，及び折り線１５ａ〜１５ｄを山折り線としても良い。
【００６９】
このように構成された本折畳みシート１０′′′が、折り線１３，１４，１５に沿って折畳まれ、閉じられると図１１に示すような形状になる。
【００７０】
本折畳みシート１０′′′も、図１１に示すように、閉じられると掴み部１６が形成され、この掴み部１６を指でつまんで開いたり閉じたりすることができるため、一回の操作で容易に展開したり、折畳んだりすることができる。
【００７１】
なお、中央トラック部１１ｃの枚数は、本折畳みシート１０′，１０′′のようにｋ＝１枚、本折畳みシート１０′′′のようにｋ＝２の場合に限らず、ｋ＝３、４・・・であっても良い。しかしながら、図１１に示すように、ｋ＝２、すなわちｋが偶数であると、掴み部１６が片側（本実施形態では左側）にしか形成されない。これに対し、ｋが奇数であると、図５に示すように、掴み部１６が左右に形成されるので、より容易に本折畳みシートを開閉することができるので好ましい。
【産業上の利用可能性】
【００７２】
本発明に係る折畳みシートは、例えば、地図、メモ書き、取り扱い説明書、携帯用ゲーム（例えばスゴロク）、クーポン等に使用することができる。
【図面の簡単な説明】
【００７３】
【図１】本発明に係る折畳みシートの展開図である。
【図２】図１に示す折畳みシートの折畳み後の状態を示す上面図である。
【図３】本発明の第２実施形態に係る折畳みシートの展開図である。
【図４】図３に示す折畳みシートの折畳み途中の状態を示す斜視図である。
【図５】図３に示す折畳みシートの折畳み後の状態を示す上面図である。
【図６】本発明に係る他の折畳みシートの展開図である。
【図７】本発明に係る他の折畳みシートの展開図である。
【図８】本発明の第３実施形態に係る折畳みシートの展開図である。
【図９】図８に示す折畳みシートの折畳み後の状態を示す上面図である。
【図１０】本発明の第４実施形態に係る折畳みシートの展開図である。
【図１１】図１０に示す折畳みシートの折畳み後の状態を示す上面図である。
【符号の説明】
【００７４】
１０，１０′，１０′′，１０′′′      本発明に係る折畳みシート
１１，１１ｌ，１１ｒ，１１ｃ            トランク部
１２，１２ａ〜１２ｌ                    リーフ部
１３ａ〜１３ｃ                          折り線
１４ａ〜１４ｌ                          折り線
１５ａ〜１５ｆ                          折り線
１６                                    掴み部
【図１】
2007190752.tif 000003
【図２】
2007190752.tif 000004
【図３】
2007190752.tif 000005
【図４】
2007190752.tif 000006
【図５】
2007190752.tif 000007
【図６】
2007190752.tif 000008
【図７】
2007190752.tif 000009
【図８】
2007190752.tif 000010
【図９】
2007190752.tif 000011
【図１０】
2007190752.tif 000012
【図１１】
2007190752.tif 000013